(57)【要約】      （修正有）【課題】救命具、避難具としての効果を高めた携帯簡易酸素ボンベを提供する。【解決手段】携帯簡易酸素ボンベを、他の様々な型、種類の避難具、救命具と併用することにより、人命救助の効果を高める。【選択図】なし【特許請求の範囲】
【請求項１】
携帯（用、式）簡易酸素ボンベを身に付ける又は常備する事により水難海難事故時、又作業現場、工事現場、そして又災害が予想される場所その他、酸素（空気）を必要としている時間、場所等で本発明品を使用する事により、人の命を救う事を目的としたものである。
この場合の酸素ボンベとは、円筒形に限らず、首輪型、フード帽子型、腹巻型、たすき掛け型、簡易血圧測定器型（腕に巻くもの）、手首型（腕時計を大きくしたようなもの）、大腿装着型、足首装着型、その他実に様々な型、種類があります。
【請求項２】
又、人の命を救う事を目的とした救命具にも色々なものがあり、ライフジャケット型、バレーボール１０個型、チューブ入りのタイヤ型、又チューブのみの浮輪型、そして球形ゴムマリ型、ピラミツド型、ドラム缶型、柩型、お椀型、玉子型人間型その他この救命具の型、形状、仕様には実に多くのものがあります。
そして又、本発明（品）の携帯（式、用）簡易酸素ボンベはそのニーズ、需要は広く、深く多様化して居り、数多くあり、酸欠死が予想されるような場所、又、有毒ガス有害ガスを吸い込む危険性がある場所、等々でも、有効であり、使用出来るものである。
携帯簡易酸素ボンベは、急場凌ぎ用としても活用される場合も多い。
携帯簡易酸素ボンベはそれを必要としている人達に酸素（空気）の供給、補給、補充、提供を目的としたものである。そうする事によって結果的に人命を救う事が出来るのである。本発明（品）は避難具、救命具の一種と見做す事が出来、この携帯簡易酸素ボンベは、他の救命具、避難具と併用する事により、より一層の効果を高めるものである。
【発明の詳細な説明】
【技術分野】
【０００１】避難具、救命具の一種で酸素（空気）を必要としている至る所、場所、時間で日頃身に付ける若しくは常備する事により人の命を助ける事を目的とする。
【背景技術】
【０００２】「発明についての詳細な説明」の項にて詳述
【発明の開示】
【発明が解決しようとする課題】
【０００３】「発明についての詳細な説明」の項にて詳述
【課題を解決するための手段】
【０００４】「発明についての詳細な説明」の項にて詳述。
【発明の効果】
【０００５】本発明により人の命、若しくは〔死ななくて良い人の命」を助ける事が出来る。
【発明を実施するための最良の形態】
【０００６】「発明についての詳細な説明」の項にて詳述
【０００７】
【０００８】〔書類名〕    発明についての詳細な説明
２０１２年１月１３日夜、伊豪華客船座礁事故イタリア中部沖シリオ島付近の場合、そして２０１２年２月７日午後０時３５分頃発生した岡山県倉敷市ＪＸ水島精油所、ＪＸ日鉱日石エネルギー会社施工の海底トンネル事故の場合、前者は約３０人（行方不明者含む）の犠牲者が出た。
後者では、１名助かり残り５人の死者が出た。
いずれの事故、この両海難水難事故で本発明品を使用していれば、その大部分（大多数）は助かったと見做される事（つまり死ななくて良かったの意）。この場合、いずれの場合も、ライフジャケットと本発明品との併用〔但し、この場合、簡易酸素ボンベは既にライフジャケット内に仕組まれ、装着されているのです。つまり別々ではなく、１個の製品となっている〕その効果は大きいと見做される事。又、今から約１年程前、例えば日本と云う国の東北地方で発生した東北大震災の時の津波の時でも、当発明（品）を装備（着用）使用していたならば極めて相当数が助かったと見做される事、推定される事。そして又、ツナミ当時、どこの家庭にもあると思われた浮輪（浮袋）を使って難を逃れたと云った話は一例もなかった事。そして震災当時、つなみ（津波）がやって来た時、ライフジャケットを持って又は身に付けて高台へ向かって一目散に逃げたと云った話も全く伝わって来ない事。〔この場合、ライフジャケットは船上（潜水艦等他の場合は省略）に在るものとばかり思っていたら大間違い陸上でこそ役に立つ事（ツナミ時）、又大震災から１年近く経っのに“オイオイ若しかすると（ひょっとすると）津波がやって来ても、浮輪（浮袋）があれば（身に付けていたら）助かったかも知れないぜ”と云った話も皆無、一向に伝わって来ない事。これは結果的には一体コイツ（コノヤロー）津波と海水浴とを間違えてんじゃねえのかと云った事にはなって来るのではあるけれども。そして同じようにツナミから１年近く経つのに全国沿岸部地帯で、ツナミの襲来が予想され懸念される地域で、そこの自治体が（ツナミ対策として）少し厚目のライフジャケットを各家庭に人数分「タダ」と配ったとか、同じように浮輪（この場合は本格的なので、車のタイヤチューブ用の浮袋）を各家庭にタダで配ったと云った報告、話は一件も存在しなかった事。
そしてここにまことにオカシナ（不思議と言って良い）話があるのである。例えば先述の倉敷水島精油所海底トンネル抗道内での事故当時、つまり事故直後その犠牲者（遺体）を必死に捜索している（プロの）ダイバー達は自分が今探している死体は一体何故死んだのであろうかと考えたりはしないのである。答は簡単で、酸素（空気）が無かったから死んだのである。〔水死溺死窒息死〕。
そしてこれは（この事は）つまりと云う事は（ひっくり返せば）酸素（空気）があれば助かったのである。（死なくて良い事）。そもそも人間と云う生き物は、酸素（空気）さえ十分に供給していれば水の中でもお魚（さかな）ちゃんと同じなのである。現に酸素（空気）を充分に供給されている（死体探し中の）ダイバー達は海（水）中の中でも元気にピンピンと生きて
2013180196.tif 000002
それ程高価貴重と云ったものではなく、自然がタダで提供してくれているのである。
そして水ももともとはタダなのではあるが人間の口の中に入る時は少しは金がかかっているかも知れない。
そして又このトンネル事故の場合、抗道内の亀裂穴から噴出する流水勢は東北大震災のツナミの時よりその破壊力は低かった、比較して小さかったと見做されるのである。現に出口（入口）付近にいた一人は助かっているのである。
本発明品の簡易酸素ボンベ付きライフジャケットを常備しいたならば又は、それを着用して作業をしていたならば、死者５人の内４人以上は助かったと思われるのである。
そしてこの〔まことにオカシナ話〕は、日本と云う国の東北地方と云う所にもあったのである（存在したの意）。大震災当時、一生懸命で遺体を探している救助隊員、救急隊員、〔主に自衛隊員、海上保安庁職員、消防隊員、警察隊員、民間有志等によって構成されていたのであるが〕は同じように今自分達が探している死体は一体何故死んだのであろうかと全然考えたりはしなかったのである。地震で直接死亡したのを除いて、ツナミによる犠牲者であったのである。つまり酸素空気があれば助かっていた（死ななくてよかった）人達なのである。その時、残された遺族の事を思い考え、一人でも多く死体を探す身許確認をして遺族に引き渡したいとの捜索作業が最優先されていたのである。
そして今回の東北大震災での地震の破壊力は、阪神大震災の時のように大都市（人口密集地）が直撃弾を受けたのとは違って人口密度の低い過疎地に発生した事。夜間ではなく、昼間に発生した事。被災したそこの住民は地震の被害から逃げ出す余裕が十分にあったと見做される事。そして又、同じ震度を記録した津波被災地の直ぐ隣の村、町では地震直後の死者数がほとんど報告（報道）されていない事。そしてその村、町では当時地震直後建築物、ビルディング、家屋、建物と云ったものがほとんどそのまま原形を留めて居り、そしてこれは（この事は）早目早期に回収された遺体の損傷具合（状況）を見る事により、〔例えば、頭のない死体がいくつあり、腕、脚のない死体がいくつあったといった事〕そして水をどれだけ呑んでいかそして凍死も含めて、大まかに推定されるのであるが、そして今回の地震の震源地がかなり遠くで発生した等から大まかな推定が出来るのではあるが、総合的に見て、東北大震災では、記録されたその震度（数）より震度数に比べて地震による破壊力、その規模は想定されるよりはるかに低かった。弱かった、小さかったと見做されるのである。つまりその犠牲者総数の内、地震による直接の死者（数）は極めて少なく、反対に津波による死者（数）が圧倒的に大多数であったと見做されるのである。
それではこゝで本発明品の単語（簡易酸素ボンベ）、そして厚目のライフジャケットにそして又、ライフジャケット内に既に酸素ボンベが仕組まれ仕込まれているライフジャケット、そしてゴムマリ（型）救命具を使って〔特許請求の所で述べられているもの〕を使って今回の大ツナミを迎え打った場合の試算をして見よう。果たしてどれ程の人々が助かったであろうか。この問題はもともとは、地球上にこんなに空気（酸素）が一杯あるところで、人（人間）が溺死、水死、窒息死すると云う事自体がオカシイのであって、“ホラ、空気（酸素）なんてこんなに一杯あるじゃないか（一体何だって溺れ死ななければならないの）と云った具合（按配）なのである。酸素ボンベの付かないライフジャケットのみ〔今日、現在使われているもの〕又はタイヤチューブ用浮輪だけで迎え打った場合、その救命率（救助率、生存率）は全体の２割前後、（あくまで大まかな試算）、そして酸素ボンベ付ライフジャケットを使用した場合にはその生存率は４割から５割、そしてゴムマリ型救命具併用した場合は９割以上との机上（架空）の報告書が届いているのである。この場合のゴムマリ式救命具とはバレーボールの表面を補強して直径１メートル前後に大きくしたものを想定して下さい。
ここに簡単な実験試算がある。東北大震災の時のツナミが襲いかかって来る直前、その大波に向かって１００個のバレーボールの球（玉）を投げ込んだ場合ツナミが去った（収まった）後、果たして何個回収出来るかを試算したものである。この場合には、位置情報を知らせる防水発信装置が取り付ける（装着）されていたとして、そのバレーボールの球の回収率は９５％を超えるのである。幸運な時には念入りに探して１００個全部回収出来るのである。
ところがこのバレーボールの玉が子供用を念めて大人が中に座って納まる位の直径１メートル位の大きさになると同じ実験をして見るとバレーボールの球の時と違ってその回収率は８５％位にまでダウンするのである。直径２メートル以上の複数向け（家族向け）の大きさのゴムマリ救命具だとその回収率は更にダウンして７割前後にまで落ち込むのである。従がってこのゴムマリ救命具の場合、球が大きくなればなる程生存率（回収率）は低くなり、反対に玉の大きさが小さくなればなる程その生存率は高くなるのである。別に定員が決まっている訳ではないがなるべく一人１個と云うルール（原則）を守って欲しいのである。只母親と赤ちゃんの場合は、球は少し大きくなり、母親と赤ちゃんがゴムマリの中に潜り込める大きさで、又中には設置されている酸素ボンベの数も赤ちゃんの数と母親の数だけ装備されているのである。
尚夜間時のツナミに対応して、このゴムマリ内には、酸素ボンベと共に、防水性、位置情報発信機、防水ペンライト、防水性発光磁石、水中メガネ、軽量小型トランジスターラジオ、急場用、簡易照明弾、回転灯、等が袋用のなものに詰められ、手探り又はペンライトによって識別出来るようになっているのです。照明弾、発信機  回転灯もいずれもワンタッチ式で操作出来るものなのです。又ゴムマリではなく、〔例えば海底トンネル事故の場合はゴムマリは全く必要としない〕単品（単独）の本発明品携帯用簡易酸素ボンベ（色々な型、種類がある。この場合の種類とは主に酸素ボンベの寿命を指し、短時間用からかなりの時間用と色々とあるのである。これは（この事は）もう少し酸素）空気があれば助かったのにと云った問題が発生するのであり、そして又、ガレキ、浮遊物に足を挟まれて、脱出が遅れた、長引いたと云った場面が出て来るからなのです。
従がってこの酸素ボンベ単独の場合には、水中メガネ、ペンライト、磁石は、バラバラにならないように三点セットとして紐（糸）で繋がれているのです。本体の酸素につながれる事。
この時の紐（糸）は伸縮性を持つ場合もある。
そしてここでは、主に夜間ツナミ時でのゴムマリ救命具の使用方法、操作方法について簡単に説明してみよう。云う迄もなくゴムマリの中は真暗なのである。そしてこのゴムマリ救命具（以下略してゴムマリ）を膨らます時は、家内、屋内ではなく、家から外へ持ち出して、家の外で作業して下さい。地震直後にこの作業は始めて下さい。
膨らす作業は、圧縮空気ボンベを使うのではなく〔超長期間保管して置く為、サビが出て、中の空気が抜けている心配がある〕。自転車のタイヤを膨らます時のように手動式（又は足動式、足で踏むと云った事）の空気入れポンプを使用する事が望ましい。その時求める（必要とする）光源、つまり使用する照明は、ロウソクは風が吹くと消える心配がある。
懐中電池は電池切れの心配があります。
そこでアンドン、カンテラ、提灯等を使う事を使う事になります。〔まるで江戸時代へ戻ったようですなコレハ〕。他にも方法があるので望ましいの意。このゴムマリの構造は内部が二重底のようになって居り、そしてその隙間に空気を送り込む訳だから、〔必要とする空気の量も少なく〕ものの１０分位（前後）で一応使える位にまではこのゴムマリは膨らむのである。
ゴムマリが膨らんだら、酸素ボンベ付ライフジャケットを持って高台（近くに高層ビルがあったらそこめがけて）へ向かって逃げ出す以外は、地震直後からこのゴムマリの中に潜り込んで（座っている状態）半開きのチャックから顔だけ出して、そのままの姿勢で、１時間から、２時間は待機する事〔死ぬ事を思えば楽な事〕。持参のペンライトを使って、携帯電話をしたり、トランジスタラジオを聴く事可。ゴムマリの大きさは直径約１メートル。
地震の場合は、その震源地の位置によって様々に変化するので注意する事。〔例えば、連動型複数震源地、陸地から震源地までの距離といった事〕。例えば、ツナミを何とか無事乗り切ってヤレヤレこれで大丈夫と安心し切っていたらその数十分後に前よりデッカイのが突然ドーンと襲いかかって来たと云った場合。〔地震ツナミは１度１回限りとは限らない事〕。本発明品のゴムマリはツナミの大波を被っても、海中にまで「潜む」事なく、浮いたままで海上、海面にまで浮上、脱出出来る事が大きな特徴となっています。〔先述のバレーボールの実験の時のように〕。そしてこの場合、寒い地方では、防寒ウェットスーツ、酸素ボンベはゴムマリ内に持ち込んで置いて下さい。そしてこのゴムマリ本体が波間にポカリポカリと浮かんだ状態（段階）では、携帯電話が使用可能となって来る事も多く、ゴムマリの半開きのチャックから顔だけ出して、携帯電話を口に押し当て、友人に向かって、「モシモシオレ今海の上から電話しているんだけどいやあ今回のツナミはモノ凄かったなあと云った感じ按梅なのである。」
そして作業中、又はこの頃得られる気象庁マスコミ等が発表する（ツナミ）情報は、あくまで、参考材料として扱かって下さい。無視するなと云った事ではなく、地震直後からは自分で判断し、行動して下さい。何しろ今回の東北大震災のツナミ犠牲者数の中、その３割近く（前後）は、その発表される予報（予想、予測）を頭から（全面的に）信じ込んだばっかりに逃げ遅れて、犠牲となって死んでしまった事を常に留意念頭に置き、忘れないで下さい。「ヘタな予報は、命を落とす凶器である事を常に自覚、認識して置く事。
そして今回の大震災（ツナミ）でもそれが若し、夜間に起こっていたとしたら、その犠牲者総数は昼間の時より３倍以上に昇ったと推計されるのである。以上の事実はいわゆる誰でも知っている粛厳とした事実なのである。従がって少なくともこのボンベ付ライフジャケットだけは当分の間は身に付けて置いて下さい。地震の時の鉄則は、ボンベ付きライフジャケットを持って（走りながら着衣して）高台へ向かって（又は高層ビル）へ向かって、先ず逃げる事ではあるが〔現在の所〕このゴムマリ救命具の生存率（救助率）への貢献度の正確な統計が出る迄は、この鉄則は順守（遵守）しておいて下さい。
そしてこの場合のゴムマリ救命具はそれ自体、強力な浮力を持って居り、又、物に衝突、ぶつかっても、強い弾力性とクッション性を持っているのです。又ボンベ付ライフジャケット、ゴムマリ救命具は（浮輪・タイヤチューブ型も含む）日頃取り出して実際に膨らませ、使って見て、練習を何度も積み重ねて置いて下さい。（日頃の）訓練に勝るものなしなのです。そしてこれは（この事は）ツナミがやって来た時、（押し寄せて来た時）その（救命具）の使い方が分からなくて役に立たなかったつまり死んでしまったと云った事を防ぐ為なのです。又、実際に使う（試す）事によりゴムマリ内の居住性、安定性、乗り心地、そしてゴムマリ内の装備してある用具器具の配置、位置、場所  使い方、酸素（空気）の吸入感、付属品の着脱試行（まるで宇宙飛行士ですなコレは）酸素ボンベの使用感その他モロモロ、色々実感出来るからです。〔肌で体感する事）
そしてこの訓練はそして又練習は、プール、河、又湖と云った所でも出来るのではあるがなるべく、〔出来る事なら〕海の沖合へ出て、試行して見て下さい。海は、波も荒く、その迫力感  臨場感が持てるものなのです。そしてこれは（この事は）軍隊の「実弾」による軍事演習にも良く似ているのです。
そして、このゴムマリ救命具は海面上を漂っている時、中の人間が「重心」の役割を果たして、クルクル、コロコロ、回転したりしたりはしないのです。
そうして海中海上のガレキ等がこの救命具を押し潰してやろうと狙っているのですが、このような例えばこのようなバレーボールの玉のようだと、スルリ、ハラリと身を躱（かわ）して、ピヨコンピヨコンと飛び跳ねて、つかみ（捕まえ）所がなくなってしまうのです。
従がって、救命具としては、酸素ボンベ付ライフジャケット（又は浮輪）とこのゴムマリ型救命具の「併用」が望ましいのです。そしてここで併用と云うのは、万が一何かの「異変」でゴムマリ救命具が使えなくなった時（場合）ボンベ付ライフジャケットだけで緊急脱出すると云った意味なのです。ゴムマリ内の酸素ボンベは、鼻から酸素（空気）を取り入れる場合と口から取り入れる場合と２通りあります。このゴムマリ内には、海面にこのゴムマリが浮かんでいる時、海上（面）を少し移動する為の小型のオール（櫂）も設置されているのです〔折り畳み、伸縮自在〕。地震が来て後、このゴムマリが円く膨らんだ時点で非常食、飲料水をゴムマリ内に持ち込むかどうかは状況を見て判断して下さい、ゴムマリ内の他の装備品については、後程述べます。
従がって本発明の救命具は例えば高所作業中の命綱にも例えられ（該当）るのです。
水難、海難事故、自然災害（ツナミ）時、等なくてはならない必需品なのであり、ツナミの被害を受けると予想される沿岸地方等では、どこの家庭にも設置が義務付けられている、そして又、置いてある「消火器」と似たような、同じようなものです。
ツナミとはカミナリと同（おんなじ）なのであり、例えば震源地が（この場合沿岸部から）遠い、離れていると（地震のあと）ツナミがやって来るのは遅く、（時間がかかるの意）沿岸地帯から至近距離だと地震のあとツナミは直ぐにもやって来るのです。
車のタイヤチューブ式浮輪そうしてライフジャケット、（救命胴衣）どちらも酸素ボンベ付、の使用方法では（時機場所方法の場合は後述）〔海に面した沿岸部では通常地震の直撃弾を受けて即死又は重傷を負った以外では、先ずボンベ付ライフジャケット（又はタイヤチューブ浮輪）を身に付けて高台（又は高層ビル）に向かって一目散に逃げ出すのもひとつの手（手段方法）であり、あくまでしばらく「様子を見る」場合には、地震直後直ぐに家の中から畳んだ浮袋（ライフジャケット）を引っ張り出し直ちに空気注入作業に取りかかる事。
この浮輪（ジャケット）も膨らんだら再びそれを持って高台又はビルへ向かって逃げ出す。
〔この場合、瞬間圧縮空気ボンベ膨張ボンベを使用する場合あり〕あともうしばらく、様子を見る場合には、ゴムマリ救命具を家の中から取り出しゴムマリを膨らます作業に取りかかるのがあるいはベストかも知れない。
そうして今回のように東北地方ツナミで児童が登下校中にツナミに出くわす（襲われたら）ゴムマリ救命具は使えないのである。近くの見知らぬ家庭に飛び込んだ児童が既に庭に出されて膨らんだゴムマリ救命具を見ながら“アノすみませんゴムマリ救命具を貸して下さい”と云うと“何言ってんのよ！これは私達が使わなければならないでしょうが”となってしまうのである。頼んでも断わられるのです。
従がってこのような場合には、少なくともボンベ付ジャケット（若しくは浮輪）だけは身に離さず持っていなければならないのである。〔この場合のライフジャケットは津波対策用として普通のより少し厚目の物〕、そして万が一それも難かしかったなら、せめて酸素ボンベだけは〔云う迄もなく色色な種類型がある〕〔この場合の種類とは主に酸素ボンベの寿命（空気）を指している〕ランドセルの奥に忍ばせるか、体のどこかに常備装備しておかなければならないのである。
「命の惜しい奴は」命が欲しくない奴はこの限りではない。
そうしてこれが（この事が）つまりこれこそが実は本発明（品）の盲点となってしまったのである。
一体何だって腐る程ある空気（酸素）をボンベ（色々な型）に詰めてわざわざ持ち歩かないといけないの？と云った調子なのである。
空気はどこにでもあり、人（人間）が生きている限り、そこには空気がある証左（証拠）でありつまり空気が無ければ人は死ぬ事。この空気を、身に付けたり、各家庭に設置、常備、学校職場に常備（備える事）しなければならないのですか？（つまり余りにもバカバカしい事）。
ソリャマ例えばハイキングに行くから水を水筒に入れ（詰めて）肩に掛けて（又はリユウックサックに入れて）出発すると云うのなら人々は理解出来るのである。（日常の風景だから）
そして各家庭に消火器を常備設置すると云うのは、もしも火事が起きた時、消火器の中の化学剤が作用してそれを噴出する事により火事は消えるのよと説明すると人々はアァナルホドと理解出来るのである。地球上に充満しているこの空気をわざわざ容器（密閉器）に詰めると云う事が人々には理解出来なかったのである（医療用のは除く）。
豪華客船には何時起こるか分からない事故に備えて多くのライフジャケット入り救命艇が準備されている。各家庭には何時起こるか分からない火事に備えて消火器が備えられている。
高所作業員とび職人は常に命綱を身に付けて作業をしている、仕事をしているのである。
ダイバーは当然背中に酸素ボンベを負っているのである。不思議な事であったのである。
従がって、本発明品の酸素ボンベ付きライフジャケット、同ボンベ付浮輪、同ボンベ付ゴムマリ救命具は各地方自治体、（市、区、町、村、他）が責任を持って要所要所、めぼしい所及び公的機関、公共施設〔公園、公民館、市民館、図書館、体育館、その他至る所に大規模に無施錠で設備品として貯蔵保管すると云う手（方法）があるにはある。
併しこれとて、ねずみ、猫が忍び込んで製品がかじられ使いものにならなかったとか、サビが出て、中の空気及び製品を膨らます圧縮空気が抜けて使いものにならなかったとか、変人が忍び込んで中の製品をズタズタに切り裂いたとか、大地震によって保管建物貯蔵庫がぺちんこに押し潰されたとか、色々問題もあるのである。路上移動者（つまり登下校中の児童、会社員その他の事）は大地震が発生してその後ツナミの来襲が予想される場合には、ゴムマリ救命具の使用はアキラめるかも知れない。自分の「命」を知らない土地で野ざらしにするのは不気味である。（気味悪い）従がって保管所貯蔵所へは距離が遠い場合は余り行かない方が良い。そこでここに特別に開発された秘密兵器があるのである。只ゴムマリ救命具についてだけはウマイ「手」があり、例えば５人家族の家庭でそこの奥さんは地震直後に５個のゴムマリを庭に引っ張り出して、既に５つのゴムマリが膨らんで並んでいたとすると、そこの主人、息子娘達は未だ家に帰っていない〔会社学校その他）
そして地震（発生）からツナミがやってくる間に（家に）帰って来る可能はゼロに近い。つまり奥さんと同居人の叔母とがこのゴムマリを各１個ずつ使うとすると３個程余る勘定となって来るのである。そこでそこの奥さんは、近くを一目散に走っている（逃げている）生徒を呼び止めて、チョットチョットここに３つ程ゴムマリが余っているからアナタ使っていいわよなあんて声を掛けるのである。つまりユーザ（この場合、児童、生徒）は、保管所に在るゴムマリは眼中にはなく、そして又、児童側にとってはこの場合のように自発的に声を掛けられる時以外は、ジャケット及び浮輪をその自分の命のより所とするのである。そこでいよいよ登場するのが秘密兵器なのである。
その答えとは、この場合新たに児童向けに開発されたもので、つまりこの救命具をランドセル形の仕様にすると云う事なのである。つまりランドセルそのものが救命具となっているのである。ここにパイナップル缶詰、又はオレンジ缶詰めがあるとするとその中身を抜き出して酸素（空気）を目一杯詰め込む訳である。又は、１リットルのペットボトルがあるとすると、〔この場合の容器は或る意味で金属性で出来て居り、軽くて丈夫、堅くて、そしてその中に同じように酸素（空気）を目一杯詰め込むのである。そしてその缶詰、ペットボトルを平べったく引き延ばして、ランドセルの形（仕様）に仕上げるのである。そうしてそれをランドセルの中にスッポリ収納すると中は空洞となりつまり空っぽになり、そこに従来のランドセルと同じように、ノート、教科書、筆記用具その他を収納しまい込む事が出来るのである。そして非常時（ツナミがやって来た時）にはワンタッチでボタン又はスイッチを押すとランドセルの底にしまい込んでいた、ゴム風船のような袋に空気が入り、〔この場合、ランドセルの中の教科書ノート筆記用具その他は、ランドセルをひっくり返して地面に落して中は空っぽにして置く〕ランドセル一杯になりそしてランドセルの蓋（ふた）をするとランドセルがそっくりそのまま浮袋となっているのである。
ここまで来ると皆様は浮袋と浮輪とでは意味が違っている事にお気付きでしょう。
浮袋とは、海（水）面に浮くものは何でも浮袋なのであり〔広義には船も含む〕そしてその浮袋を輪の形にしたのが、浮輪なのである。これまでは普通一般的には浮袋と云えば浮輪を指していたのです。
そうしてこのランドセルをスカイダイバーのパラシュート（背中に背負っている）のように（絶対）外れないように身体の前部で厳重にバンドで固定すると救命具が一丁仕上がるのではありますが、そしてこのセンドセル型救命具は、〔外見は全くこれまでのランドセルと全く同じ〕いわゆるライフジャケットと浮輪の特徴又はその両方を併用した感じとなるのです。
そして酸素ボンベを、単独で使用する場合には今度はこのカンヅメ、ペットボトルを人形型の仕様（形）に仕上げるのです。ひっくり返せば既存の人形〔実にさまざまな仕様デザイン、型があるのですが、例えばキューピット型の人形、フランス形の人形、お嬢様タイプの人形、パンダ型の人形等々〕その材質は、軽くて、丈夫で堅いもの、の中に酸素（空気）をギッシリ詰め込む訳です。すなわち、外見は人形ソックリの救命用酸素ボンベが出来上がり児童はその人形をランドセルに吊るしたり取り付けたりしたりして登下校するのです。こうなって来ると、児童達にとっては、救命具を所持保有している実感は全然なく、〔何故なら外見が人形ソックリなのだから〕心的抵抗感は全く無いのです。ありふれた日常の風景に溶け込むのです。そしてこのランドセル型救命具を改めて、「カバン」風に仕様仕直したのが、会社員向け又は一般成人向けの救命具となって来るのですが、それを持って通勤に励む会社員にとっては、救命具を持っている実感は全く沸（わ）かないのです。何故なら外見（つまり見た目が）カバンソックリなのですから。タダ（只）カバン型救命具の場合はそれを体に固定するのにはほんの少し手間が掛かるのではあるけれども。
それではここでゴムマリ内に装備されている機器、器具、用具等について説明致しましょう。このゴムマリ内部は保温にも配慮されて居り、多少の断熱材は内側に使用されていますが、ツナミは暑い所で起こるところから寒い地方ではなるべく、防寒ウエットスーツを着用して下さい。
事が人の命に関するものだけにその説明もモノモノしくなって来るのではあるが、至れり尽くせりなんですなコレハ。
前に述べた事と重なりますのでここでは、ゴムマリの出入口、つまりゴムマリを開閉するチャックの事なのです。云う迄もなく、折角のゴムマリ救命具もそれが開かなかったら使い物にならない訳です。又人がゴムマリの中に潜り込んで（中へ入って）内側から、チャックを閉めた時海水が中へ流れ込まないようにしなければなりません。又このゴムマリは、海面に出てポカリと浮かんだ状態ではチャックが上部になるよう設計されていますからこの時点では海水の流入については、それほど気にしなくて良いのです。そしてその時ゴムマリの下方に海水が少し貯まっていたならば例えばチャックを少し開いて、杓子を使ってその水を外側へ排泄、掻い出すのです。
ここで問題なのは、ゴムマリ中へ潜り込んでイザチャックを使って閉めようとした時、万が一故障してそのチャックが閉まらなかった時の事である。これは一大事で、ヘタをすると（最悪）死ぬ場合もあり得る。その時の応急処置、又補助機器（代用品）の事も考えなければならない訳なのです。この場合ゴムマリの開閉に別にチャック（ファスナー）を使用しなければならないと云う決まりはない訳ですから、別の方法を考えれば良い訳なのです。例えばエレベーターの自動開閉扉を使う〔これは真っ赤なウソ〕又はワイシャツのポタンのようなものを使う〔これも真っ赤なウソ何故なら隙間から海水がザアーザアー流れ込んで来るから。まあなければ新しい方法を開発すれば良い訳ですから余り気にする事はないのです。チャックさえ閉まってしまえばシメタもの、こちらのモノでツナミの大波を被ってもものの数分もしない中、海面へ浮上する事が出来るのです。ゴムマリ使うチャックはかなり精巧に出来ていて一寸やそっとでは故障しないのです。
ここでは、ジャケット型救命具と浮輪型救命の違いについて説明しましよう。ランドセル型救命具は一応除外致します。後程関係してくるのです。
これは（この事は）ジャケット型が有利か浮輪型が有利かと云った問題でもあるのです。
そんな事どうだっていいじゃないかと云う訳にはいかないのです。非常に重要な問題を含んで居り何しろ人の命に関わる問題なのですから。
ここに簡単な実験があります。
今回の東北大震のツナミの時でも見られた事なのですが、ひとつのグループには全員ライフジャケットだけを身に付けて〔着衣着用して〕走っていたつまり避難していたこのグループ集団は人数は５０人です。
そうしてもう（他方）の５０人のグループは浮輪救命具を全員が身に付けて走っていた。
そして同時にツナミに巻き込まれた、呑み込まれたそしてツナミが去ったあと果たしてどちらが多く生き残ったかつまり助かったかと云う問題なのです。ここでは比較の問題だから、簡易酸素ボンベそして防寒ウェットスーツはどちらのグループも使わなかったとします。そしてここで大切な事（注意しなければならない事〕とはこの実験でこちらのグループが多く助かったからこちらの救命具が有利だと即断してはならないのです。ツナミには非常に多くの不確定要素があり、一回や二回の実験で答を出してはならないのです。何回も何回も実験してそのあとで大まかな結論を出さなければならないのです。
ここで下馬評としてどっちが有利か人に質問（聞いて見ると）そりゃライフジャケットに決まってじゃんと云ったような答えが返って来るのです。その理由とはライフジャケットは避難具（救命具）としての長い歴史を持ち、多くの所で大活躍をして輝やかしい実績と経歴をもち、その人気、知名度、認知度も抜群である。また見た目にもスマートでカッコ良い〔女性に持てようですなコレハ〕そして動作も軽く、小廻りも利く、と云った事。一方（他方）タイヤチューブ用浮輪はブサイク、ノロマ、ダサイ（ぶかっこう）、イメージ的にも何となく暗いイメージを持ち、又、人気、知名度、認知度もゼロなのである。実際、子供に聞いて見ても、こんなカッコ悪い浮輪を付けて〔腰の所に付けて又は腰に巻いて）走れないよと云った答が返って来るのである。云う迄もなく波に呑まれた時の事を考えて、この浮輪は離脱抜け落ちないように体に厳重（しっかりと）くくり付けられているのである（紐など又はロープなどを使って）。この場合この浮輪には色々な大きさがあり例えば相撲（すもう）取りのように肥った子に大き目のを使う。ガリガリに痩せ細った子には小型のを使うと云った塩梅なのである。
ところが実際はどうなのか現実は下馬評とは異なって来るのである。その答とはツナミに呑まれてガレキ、浮遊物他にぶつかった時、ライフジャケットの場合その衝撃をモロに体に受けて大怪我又は死亡する事もあるのである。ところが（しかるに）タイヤチューブ用浮輪の場合には、輪の中の人（間）を保護（ガード）する強力な防護役を果たすのである。〔チューブ浮輪によって、又その持つ弾力性により〕。物にぶつかってもビクともしない安定観（感）があるのである。ジャケットと浮輪どちららが有利かその性能の違い、又その機能の違い等により前評判の良かったジャケットは遅れを取り、浮輪の方が良くなっているのである。
浮輪の方が断然有利、若しくはわずかに有利との机上の結論が出ているのである。
これは（この事は）ツナミの持つモノ凄い破壊力により重点が置かれたのであり、モノにぶつかって死ななくても気絶する場合もあるのである。つまり死んではいないが意識がないすなわち、生きてはいるが意識もないと云った状態なのである。
ここでは本発明を総括的に述べ、時間も迫って来ている所から、そのあと少し附属的な事を加えて取りあえず、本明細書を終わりとしたい東北大震災と云う大災害（そのスケールも壮大であり）その技術的背景説明も莫大な量（ページ数）に達し残りは追加分として改めて特許庁に提出するものである。特許権利取得と云う目的を意識せず純粋に技術的な記述に専念したい。
「人々は津波とどのように向き合うか」と言った題名であり、〔まるでＮ．Ｈ．Ｋ．の日曜討論会にでも出て来るようなタイトルですなコレハ〕。
先ず初心者の、項から入り、そして本題へと移り、後述版を加えて終りとしたい。
本発明の発明の原点とは、本発明に関する初歩的、古典的、原始的その発明とはである。ツナミ対策用の原始的な発明とは一体何か。何であろうか。その答えとは、先ずスポーツ用品店等へ行って１０個程のバレーボールの球（玉）を買って来るのである。
そのバレーボールの球をチョット丈夫な綱の中に入れてその綱を絞ると丁度バレーボール１０個分の大きさの球が出来るのである。そしてその絞った綱の根本を又は根元を固定すると、丁度バレーボール１０個分の大きな玉が出来上がるのである。
そしてその綱の根本を固定した場所に、人の腰に巻き付けるロープを取り付けると、強力な救命具の一丁上がりとなるのである。そしてその球を使用するユーザー、使用者の腰（又は背中、腕、頭、太腿（ふともも）その他要するにどこでもいいから簡易酸素ボンベが装着されているのである。これでつまり〔たったこれだけの事で〕どんなツナミがやって来ても万事Ｏ．Ｋなのである。欲を出せば寒い所では防寒ウエットスーツ、水中メガネ、夜間用のペンライト、発光性磁石、（いずれも防水）位置情報発信機（防水）を準備、用意すればその対策は完璧なのである。
こんな備品、付属品なんか揃えようと思えばいつでも揃えられる所からもはや「バッチシ」なのである。握り寿司屋の寿司ネタのようにその辺に出回っている商品、製品を只一カ所に集めただけの話なのである。こんな簡単な事でアーラ不思議映画００７のジェームスボンドも顔色まっ青の完全、鉄壁な救命具が出来上がっていたのである。どうしてジェームスボンドが顔色をまっ青にしたか。
そもそも特許（発明）と云うのは、世界中で初めてのアイデア、製品と云う事を意味して居りそしてこれは（この事は）換言すると、世界中でコイツ（発明者）たった１人しか持って居ない製品なのである（コホン）。そしてこれは（この事は）ジェームスボンドを含めて００７映画製作者誰もが思い付かなかったと云う事なのであり、ジェームズボンドを驚かせたその所以とは、その製品の持つ「奇抜さ」にあったのである。そしてこれはこの事は発明とは発明とは「単純」な所にこそ「偉大な発明」があると云う訳なのである（再びコホン）。
発明（特許）とは恐れ多くも、（賤しくも）世界中で初めてでなければならないのである。
前述のタイヤチューブ式救命具浮輪の場合はそりゃあもうヒドイもんで外からタイヤチューブを買って来て、その浮輪に、ロープの片方を浮輪の輪に巻きつけて縛り、もう片方（一方）を使用する時人間の腰に巻き付けて縛る為にそのままにして置き、ハイ出来ました。これで立派な一人前の救命具なのですとと云った具合なのである。これも特許（発明）なのである。これはチューブの救命具としての中途の開発にはなるのではあるが、浮輪にロープを縛り付けると云う所が「新規性」を持っているのである。そして又、人形形酸素ボンベの場合は、外見は人形そのものなのであるが、内部は容器となって居り、そしてその容器内には空気酸素が一杯に詰められているのである。そして母親が児童に（ユーザー）このお人形ちゃんが万一の時あなたの「命」を救ってくれるのよと説明するとその児童は喜んでそのお人形を身に付けてくれるのである。
そこにはこのお人形が、救命具であると云う実感異和感は全くないのである。
只このお人形形酸素ボンベの場合はそれを使用する場合には体から外れないように体の一部に頭、腕、脚、腹、背中  首、何処でも良いから、固定してどんな事があっても外れない（離脱）ようにしなければならないのである。
さてここでは本題に移って、それは救命具（避難具）の使用方法についてなのである。
それは地震が起きてそのあとやって来るツナミに備えて、救命具をイチイチ（その都度）膨らますのはメンドーくせえと云う訳で既に膨らんた救命具をどっかに保管するという「手」なのである（方法）。この救命具（ジャケット型、浮輪型、ゴムマリ型、バレーボール１０個分型だろうが何だろうがの意味）〔注、バレーボール１０個分型はここでは綱を使っていますが綱の代わりに大きな袋を使っても特に無理ではないのである即、大きめの袋の中にバレーボール球を１０個詰め込む事〕を、屋内に保管して置くと地震の時、倒壊して潰される危険性があり、庭を持っている家庭では〔但しランドセル型救命具はこの場合余り関係ないので一応除外〕庭に犬小屋より少し大きめの小屋にブチ込んで置くのである。家族が多い場合は、庭にほっ建て小屋を建ててその中に保管しまって置く事、地震が来るとその直後にはそれ（救命具）を庭に放り出して置けば良いのである（ツナミに備えて）。そうして集合住宅の場合は（団地など又はマンションなど）空き地に倉庫のようなものをおっ建て、その中に人数分だけモロモロの備品と一緒に倉庫の中に「陳裂」つまり保管の意  して置けば良いのである。この場合の倉庫（又は納屋）は地震によって倒壊して中の製品（避難救命具）が痛まないように軽量級で出来て居りあくまで例えて云うならば四方をトタンブリキ様の物で囲まれた倉庫、そうして地震が来たら（生き残っていたならば）それを（救命具）を空き地に引っ張り出して空地に並べて置けば良いのである。この場合の救命具とはバレーボール１０個型は一寸除外して、ライフジャケット型、ゴムマリ型及び浮輪等々である。ゴムマリ型としてその補助用具としてジャケット若しくは浮輪を選ぶかは人それぞれでその都度決めてもらいたい。そしてその救命具の数だけ附属品（物）として先述の水中メガネ、防水ペンライト、防水発天性磁石、防水位置情報発信機（但しこれは、小型で軽く別に倉庫の中にトランジスターラジオも含めてしまって（保管）して置く必要はない  その他モロモロの備品一式として倉庫の中にブチ込んで置けばよいのである。まあ、半年か１年に１回位は「定期検査」（点検）をしなければならないが。
云う迄もなく、命を救う酸素ボンベは既にどの救命具にも取り付けられているのではあるが〔ライフジャケット、ゴムマリ、浮輪〕。補助用として室内の手の届く所にスペアとして所有して置いて、地震か来たらそれを持って（火を消す事は別にして）外へ飛び出せば良いのである。この場合の酸素ボンベは幾つあっても良いのである  万一の不備  不全、故障を考えて。そしてこの場合のライフジャケットは原則として畳んで倉庫の中に保管して置いても良い。ここで問題なのは要するに、ジャケットにしろゴムマリにしろ浮輪にしろ圧縮空気を使って瞬間的に膨らます事は可能ではある。併し乍ら、１０年も２０年もそれ以上に長く保管して置くものであるだけに万一圧縮空気が容器から抜け出ていたり、地震の衝撃によって機器が故障したり、或いは容器が破損したりその他、モロモロの不測の事態も発生するのである。命に関するものであるだけに「失敗」は許るされないのである。この場合のライフジャケット紐を引っ張ったりスイッチを押したりとワンタッチでジャケットを膨らますのであるがその力はもとを正せば圧縮空気なのであるから同じような「心配」は起こって来るのである。但し人形型酸素ボンベは、毎日のようにランドセルに吊るしたりして、接するものであるだけにその製品に表示されている、使用有効期間（年限）と照らし合わせて、人形ボンベに取り付けられている小さな計器を見る事により、児童及び保護者（主に親）は人形の中の空気酸素が抜けているかどうか（いないかは）その都度、確認感知出来るのである。人の命に関するものであるだけに中の空気酸素が抜けていたならばこれは「死」を意味するのである。従がって欲を云えばこの人形型酸素ボンベはランドセルに２個位吊るして置き地震直後には児童はその２個の人形の中味を確認して置かなければならないのである。常時２個の人形をランドセルに吊るす事によって自分の命は助かる。そしてこの時の地震とは昼間の地震を意味しているのである。何故なら夜間は学校はお休みだから。
これまで人の血液を売って商売にしている話は聞いた事がある（例えば国際赤十社とか）
併し乍ら空気を売って商売にしている話は余り聞いた事がない〔特別な場合を除いて、例えば医療用酸素ボンベなど〕。身近にこんなに一杯転がっているその空気が高値で売れるなんて、真逆（まさか）なのである。
本明細書では、ここに述べている発明を一つの発明として説明して来た。主にその発明の持つ「発想」面を中心に述べて来たのである。つまり細かな技術面については省略して来た。これは（この事は）つまりその理由とは本発明をこれまでの通常の出願方式に換算すると〔特許、実用新案他を含めて〕５００件以上出願しなければならなくなるからである。例えば酸素ボンベの型、形状仕様ひとつ取っても５０件以上出願しなければならなくなる。従がってここではとり合えず、発明の骨子だけを述べて残りは後程、後続版（追加版）として特許庁に出願するものである。東北大震災と云う大災害を迎えてその壮大なスケールから、本発明の持つ技術上の背景説明も必要な為、そのページ数は莫大な量に達している。本発明の持つ技術の「可能性」は云う迄もなく、「無限の可能性」を持っている訳で、それを全て、記述する訳にはいかない（無理である）。又、特許とは一体何かと云った問題も出て来る為（この項後程詳述）本明細書はあくまで暫定的な処置（措置）なのである。
ここでは、本発明の持つ用途の開発について述べる。
ここで気を付けなければならないのは、商品（製品）の持つ用途の開発ではなく、発明の持つ用途の開発なのである。つまり需要ニーズの事なのであるが本発明の主役である携帯用（式）簡易酸素ボンベは、例えば「酸欠死」（つまり空気の不足欠乏が起こり易い事）が起こり易い又は起こると予想危険性がある作業工事現場その他の所でも本発明（品）は使用出来るのである。それとは別に（逆の意味で）今度は、有毒（有害）ガス等が発生し易い又はその危険性がある時、場所その他等でも本発明（品）簡易酸素ボンベは使えるのである。例えば石油コンビナートの大火災、ガス管が腐触、老朽化、破損、亀裂等つまりガス漏れ等が発生し易い、又はその危険性又はその懸念等がある場合でも使えるのである。いう迄もなく、例えば家庭の火事の場合でも使えるのである。
例えば石油コンビナートでその消火に当る、作業員、工員、職員、社員その他も使えるのであり、当然消火に当にる専門（プロ）の消防夫（士）その他にも使えるのである。〔有毒ガスを吸い込まない為に〕。斯くて本発明携帯用簡易酸素ボンベのその需要ニーズは、多方面に亘り非常に広く非常に深いのである。〔水難、海難、災害（ツナミ）その他とは別にである。〕
そうして又、例えばランドセル型救命具を使用する場合ランドセルの底にしまい込まれている（畳まれている）ゴム風船（のようなもの）に空気を入れて膨らます場合手動式を使うか、圧縮空気容器を使うか〔瞬間的に膨らます〕迷う所である。この場合ユーザー（児童）はそれに毎日のように接する事が出来る事。事は児童の登下校中の非常緊急事態下でする。モタモタしてはいられない。
圧縮空気容器の使用が好ましいのである。
従がってその保護者（親及び養なっている関係者）は責任を持って半年に１回位は念入りにランドセルの中のゴム風船に空が開いていないかとか圧縮空気容器の中の空気が抜けていないかとをチェックしておいた方が良い。何しろ自分の（可愛い）子供の命に関する事だから。云う迄もなくこのランドセルの中のゴム風船に穴が開いていたら、子供の死を意味する場合も多いのである。
そしてこの点検日は不定期より例えば６月１日に１回、１２月１日に１回とキチッと決めて置いた方が良いかも知れない。又そのユーザーである児童にとっても、人形型酸素ボンベのチェック（確認）だけではなく主にはランドセル（のチェック）の方にも目を向けて欲しいのである。
事は自分の命に関する事だから。
そしてランドセルの中の風船の耐用年限であるが、その参考材料としては、車のタイヤの中のチューブの耐用年限を参考にした方が良いかも知れないのである（一応の目安として）ゴム製品だって何年も何年も経つと「風化」してボロボロになる場合もあるのである。只車は走る為の乗り物であり、タイヤの中のチューブもそれに順じて摩耗するものであるが本件の場合只ランドセルに畳み込んで置くだけだからその消耗の度合ははるかにそれ（チューブ）に比べて小さいかも知れない。事は自分の命に関する事だから。
而うして若しも乍ら本発明（品）が発明者の思惑通りに「作動」するならば津波に向かって「もうツナミなんてコワクないよーだ」アッカンベーだ。人指し指を片一方の目の下まぶたに押し当て押して目玉を剥き出し、ベロ（舌）を出して“イーツダ”と云った感じとなって来るのである。
それではここでは「潜水服」をツナミ対策用として、避難救命具として活用応用出来るかどうか検討して見ましよう。潜水服は映画にも良く出て来るし、誰れでも知っていると思われるのです。
先ず、潜水服はその総重量が大きいこと（重い事）。動作が鈍い事。潜水服といえども、物に激しくぶつかると破損する場合があり、その対策として潜水服の内側にゴムの幕を張り付けて水が入って来ないようにすると云う手があるにはあるが、そして潜水服の場合は他の救命具と違って直ぐに海面に浮上する必要はなく暫く海の底でウロウロしていても良いのではあるが、この場合の潜水服は船上から空気を送り込むエアポンプを使うのではなく、ダイバーが使っている酸素ボンベを使う（背中に背負う）のであるが、この際海面に浮上する為の「浮力」を付けるのに難点（解決しなければならない問題）がある。
各家庭でツナミ対策として潜水服を買ってまで備えるかどうか疑わしい〔金もかかる〕又その保管保存方法にも若干問題があるとその他と言った所から今回は省略したい。
先述では既存のチューブの応用と云う面から説明したのであるが、併し乍らこの（チューブ）救命具を商業ベースで見る、つまり救命具としての「商品」とするには、やはり克服しなければならない問題点があるのである。それは（と云う事は）、例えば先の鋭く尖ったガレキが衝突して来ると突き刺さりチューブに穴が開く危険性も多くあるのである。そしてそれを（その事を）回避するには、例えば足（脚）を怪我（けが）すると包帯（ほうたい）をグルグルけがの所に巻き付けるのであるが、それと同じようにチューブの表面を軽くて丈夫、強靱（きょうじん）な材質（或いは一種の金属性のようなもの）でコーティングして、何かがぶつかってもピーンと跳ね返す位の強力な材質でコーティング、カバーしなければ、そしてチューブの表面を保護、補強しなければ、使いものにならない、つまり商品として売れない面も考慮しなければならないのである。この場合何かがぶつかると云うのは、例えばここに大きな「壁」がある。その壁は固定されて居り（この場合ビルディングの壁でも良い）そしてその壁に車がスゴイスピードでドシンとぶつかった場合、その破壊度（力）衝撃力（度）は非常に大きいのである。ところが（しかるに）この壁の下側に滑車（かつしや）を取り付け、レールが敷いてあれば、車がドシーンとぶつかった場合、壁は後（うしろつまり後方）へスルスルと後退して、壁の受ける衝撃度（破壊度）は非常に小さくて済むのである。壁の破壊度が小さいと云う事はぶっかった車の破壊度も同じように小さいと云う事であり、例えば壁が固定した（してある）場合には衝突によって壁に大きな穴が開いたのが壁がうしろに後退する場合は壁の表面にデコボコが出来た位で済むと云った具合、感じなのである。そしてこれは（この事は）例えば２台の車があり、そのひとつ（一台）は停止していたとすると停止した車に別の車が猛烈なスピードでぶっかった場合と、２台の車が正面衝突した場合とではその破壊力には格段の「差」が出て来るのである。そしてこの場合、正面衝突した２台の車が共に（両方共）そのスピードはノロノロ運転で非常に遅かったとするとその２台の車の持つ破壊力は非常に小さい（度合いの事）反対に衝突した２台の車が共にもの凄いスピードだとその破壊度は断トツと云って良い程大きくなるのである。従がってチューブ避難具の場合、水中若しくは海面で物（ガレキ等）に激しくぶっかっても、水中又は海面の事だから、スルスルと後方に後退する事が出来（つまりチューブ浮輪が固定されている事ではない事）、チューブ浮輪の受ける衝撃度は非常に小さくて済むのです。
ヒドイのになって来ると（ヒドイ奴の意）自分のサイズに合った「タイヤ」（体重が１００キロ以上の奴は少し大きめの、５０キロ位のは少し小さめのタイヤ）を買って来て〔云う迄もなくタイヤの中にはチューブが入って居り、そのチューブの中には既に空気が入って膨らんだ状態〕そのタイヤを納屋（小屋）の中に放り込んで置き地震直後にそれを（そいつをつまりタイヤを）納屋から引っ張り出し、コロコロ転がして空地の所に「横べた」にして置き、タイヤの両端（下方）に木又は石を「かます」と丁度タイヤは宙を浮いた格好となるので、タイヤの上の方からタイヤの穴の中にスッポリ潜り込んで穴の中では座禅を組むようにして座り、足が疲れるので足（脚）を伸ばし、そのままの格好で（スタイル）でツナミがやって来るのを待つ訳なのです。〔死ぬ事を思えば楽な事〕云う迄もなく本発明の簡易酸素ボンベは既に装備装着（人体に）されて居り、先述のモロモロの備品、附属品、用具一式は袋に詰めてタイヤにくくり付けられているか、又は本人が手に持っている状態でタバコを一服しながら待機しているのである。（夜間ツナミでも可）。
それを見た人々は（例えばの話）口をアングリ、”マサカねえ、タイヤを避難具（救命具）に使うとはたいした奴ダ（見上げた奴ダ）と云う事になって来るのである。「ウーンマサカマサカとつぶやきながら」。寒い時又は所では当然防寒ウエットスーツも着用着衣しているのであるが、（普通はゴム製）この場合も身体保護の目的からウエットスーツの表面に軽くて丈夫、強力．強靱な材質でコーティングしなければならないのである若しくは軽くて丈夫、強靱な服をツナミ対策用として新しくあつらえなければならないのである。
それではタイヤ救命具とゴムマリ救命具とではツナミに対して一体どちらが有利なのであろうか（比較の問題）。この場合云う迄もなくゴムマリの表面は強靱な材質で補強されているとする。ここに簡な実験がある。
テーブルの上に横になったタイヤを置きそのタイヤめがけて、投げ槍に使う槍を構えて突進して行った場合、槍はタイヤに刺さらずに跳ね返されるのである。同じように出刃包丁（でばぼうちょう）を構えてタイヤに突進しても跳ね返されるのである。同じように少し低めのテーブルに直径１メートルのゴムマリを置きゴムマリの中には普通の大人の（成人の）体重位の水が入って居り、同じように槍を構えてゴムマリめがけて、突進して行った場合この槍はゴムマリに突き刺さるであろうか。（出刃包丁の場合も同じ）ゴムマリの持つ弾力性により及びその軽さから、ゴムマリには刺さらずにゴムマリは後方にポーンと跳ね返るのである。そしてこれが水の中又は水面だと尚更で、ゴムマリはクルクル回転して、槍の持つ破壊力から身（ゴムマリ本体）を躱（かわす）す事が出来るのである。〔矛先をかわすの意）。
そして又、タイヤの持つ重みでツナミの大波を被った時、タイヤ救命具の場合は海面に浮上するのに若干時間がかかる、（手間取るの意）そして又タイヤ救命具の場合はいくらタイヤによつて身体の周りは防御されているとはいえ、頭、上半身、脚等は直接海水に晒（さら）されるのである。その露出した頭、上半身、脚等をめがけて、ガレキ．柱．破片．その他がドシンドシンと衝突する危険性（可能性）が大きく在るのである。ところがゴムマリの場合は身体がゴムマリの中にスッポリ入っている為、ゴムマリが粉々に破烈しない限りこのような危険性、心配は余りないのである。と云ったような事からゴムマリの方がわずか（又は大分）有利じゃないのかと云った机上の結論が出されているのである。そしてこれは（この事は）云う迄もなく、何度も何度も実験をして、又何度も何度も体験して最終的に判断されなければならないのである。そうしてこのゴムマリ救命具は、各家庭及びゴムマリが準備配備されている所では地震直後には余って来る場合が予想され、そしてこれは（この事は）法律で半分位又は、３分の一位強制規制する事により、すなわち、非常緊急時（主に地震時）、余分に余ったゴムマリ所有者（家族を含む）は、それを持っていない人に率先して無料で貸与しなければならないのとルールを作る方法もあるのである。タイヤ救命具の場合、ヘタをすると（最悪の場合）流木が頭にブチ当たって、頭がフッ飛んだ（つまり胴体から離れる事）と云った場面も出てくるし、そしてゴムマリの場合はゴムマリ本体の持つ軽業（かるわざ）師のような身軽さ、敏捷（びんしょう）性も考慮されたのである。
最後に本明細書は東北大地震と云う大災害を迎えて、政治的、経済的、社会的、問題とは別に、人命を中心とした（人命上の観点から）技術的（技術面、技術上）での「考察」が必要であると判断されたためなのである。
高度に発達した文明社会で我々（私達が）が日頃しなければならない事は又は努力しなければならない事等が少しでも吸み取られたら出願人の至宝とする所である。
とここまで書き終えた所で突然横合いから、それじゃ潜水服に最初から浮力を付けていたらどうなのかと云った「案」が飛び出して来たのである。ナルホドこれはいいかも知れないねと云う事で早速実験して見る事になったのである。具体的に説明すると、地震直後に保管庫（納屋、小屋）からしまってある潜水服を引っ張り出し庭に出してその潜水服を着て、背中に酸素ボンベを背負いバレーボールの球１０個入りの「大玉」の端に付いているロープの端を潜水服の胴（腰）の所にしっかりくくり付け（結ぶ事）ツナミがやってくるのを待つ（待機）する訳なのである。ツナミの大波を被ってもその浮力（バレーボール集団）のお蔭でこの潜水服は直ちに海面にポカリと浮上できるのではあるが、併しいずれにせよ潜水服は動作が鈍い事、重量が重い事、漂流物にしがみ付くのが精一杯で漂流物の上によじ登る事はむつかしい事、量産に向いていない事（大衆向きではない事）、この場合でも、流木、ガレキ、浮遊物等の波状攻撃を受けて、死亡する危険がある事等々から、ゴムマリ型救命具には遙（はる）かに劣ると見做される事。それでは今度は軽くて丈夫な動作も自由、宇宙飛行士が着用する宇宙服ならどうなんだと云った意見（案）が再び横合いから出されたのである。ウーン、それもいいかも知れないねと云う事で、それでは早速実験して見ようと云う事で、宇宙服を取り寄せ、前回と同じように地震直後に今度は小屋から宇宙服を引っ張り出して庭でその服を着、中に空気を入れて、そして腰にバレーボール浮力を取り付けて、ツナミを待つ訳なのであるが、軽くて丈夫、動作も自由、幸い酸素ボンベも宇宙船外活動用として既に備え取り付けられて居り、用意万端津波さんいらっしゃいと云う事なのであるが、この場合いもやはり、ガレキ、流木等にはさまれたり、衝突したりして、押し潰されて、死亡する確立は高かったのである。そもそも宇宙服と潜水服の違いは（外見は良く似ている）潜水服は海に潜る為、そして宇宙服は宇宙空間に「潜る」為に製作、作製されたものであり、そして宇宙服は向いていない事。潜水服も海には向いているがツナミには向いてはいない事が分かったのである。
宇宙服も潜水服もツナミには適してはいないと云う事なのであった。潜水服は海に潜るには適しているが、ツナミ（海に潜っても）には適してはいない。
それでは今度は再び横合いから再び意見が飛び出して来たのである。宇宙服も潜水服も向いていないと云うのはあくまで現存の両者の性能を云っているのであり、それではツナミ対策用として専門に新しく両者を改良して、云うなれば本来の目的から外れたツナミ専門の宇宙服、潜水服を試作（作成）して見てはどうかと云った意見（案）なのである。うんそれはいいかも知れないと早速製作にかかったのである。併し乍らどんなに改良（両者）を加えても出来上がったものは（作品）（製品）は球形ゴムマリ救命具には敵（かなわ）ないと云う事だったのである。そしてこれは（この事は）改良を加えれば加える程、球形（型）ゴムマリ救命具に似てくる（近寄るの意）と云う事を意味していたのである。そしてこれは（この事は）球型（形）ゴムマリ救命具の「変形版」として人間型ゴムマリ救命具として既に存在していたのである。
つまり改良版宇宙服も潜水服もそして人間形ゴムマリ救命具も、その発想の出発点（原点）同じ（同一）だった訳なのである。
そしてここでわざわざ潜水服を持ち出したのは、その潜水服の持つ「頑丈」さにあったのである。
「ウン潜水服なら、ツナミがやって来ても大丈夫かも知れないと普通は誰れでもそう思うのである。ところが実際はそうではなかったのである（違ったの意）。例えば剛鉄製の潜水服でもガレキ、流木、漂流物その他が猛スピードでぶつかった場合、〔その潜水服が重ければ重い程不利〕潜水服といえども、大破破損、亀裂ヒビが入ったり、穴が開いたりするのである。最悪の場合押し潰ぶされて、中の人間は死亡するのである。ところが球型ゴムマリ型だとこのような事は先ず起こらないのである。
ここに簡単な実験がある。道路の真ん中に（固定して）球形ゴムマリ救命具（中には大人位の人形が入って居り体重も同じ位）が置いてあり、そのゴムマリめがけて、車が猛烈な勢い（スピード）でぶつかった場合、当然の事ながらこのゴムマリはポーンと跳ね飛ばされるのではあるが、車のドライバーはケガをする事はほとんどないのである。ゴムマリの中の人形は軽いケガをするかも知れない。これが同じように剛鉄製の潜水服（この場合一応座った状態）を道路上に置いてあり（中には同じように人形が入って居り）それを車が猛スピードでぶつかった場合、潜水服の中の人形も大ケガをするし、ぶつかった車の方も大きく傷付くのである。
そして又、２台の車が猛烈スピードで正面衝突した場合には両方の車は粉々になり、２台の車の運転手、客、その他は、即死するのである。
ここに再び簡単な実験がある。米国アリゾナ州（しゅう）の砂漠（さばく）の真ん中の誰も来ないような一本道路で、中に人形の入った球形ゴムマリ（直径１メートル位）を１０メートル間隔で１０個程（合計百メートル）道の真ん中に１列に並べて置き、何も知らない車のドライバーが次々と１０個程跳ね飛ばして行ったとすると、ゴムマリの中の人形はそれぞれ軽いケガをするかも知れない。この場合ドライバーは無傷。そして又別の道路には、今度は剛鉄で出来た潜水服（剛鉄製）を座った形（状態）でやはり同じように一列に１０個程並べて置くと〔この場合潜水服の重さにもよるのであるが〕、そして何も知らない車の運転手がその１０個の潜水服をスゴイスピードで跳ね飛ばして行ったとすると、車の運転手もケガをするし、ハネられた潜水服の人形も大ケガ人が続出するし、場合によっては死ぬ（この場合人形が死ぬ事）場合も出て来るのである。（人形が死ぬ訳はないのだが）。
そしてこの出来事を海の中で再現して見ると、ゴムマリの中の人形はほとんど無傷となるのである。そしてこの場合の車とは〔車が海の中（上）を走る訳はないので云う迄もなく、流木ガレキ等を指しているのである。そしてこの２つの簡単な実験は結果的には、諺（ことわざ）にもあるように「柔（じゅう）は剛を制する」と云う、ことわざを地で行く見本、好例、そして典型的、象徴的な現象（出来事証例）となっているのである。
そして、ここまで述べて来ると今度はまたまた再び珍妙（奇想天外）珍説が横合いから飛び出して来たのである。強靱な材質素材で加工、コーティングされ補強された人間型ゴムマリ、そして、ツナミ対策用として改良に改良を積み重ねた宇宙服、潜水服よりも、球型のゴムマリが有利であると云うのは紛れもない事実なのであるが、今度はピラミッド型ゴムマリ救命具の方が球形ゴムマリ型より有利優ると云う案（説）なのである。当初は誰れも相手にはしなかったのである。
ピラミッド型と云うのは普通突出部が五ヶ所程ありその形状も角張っているのがその理由であり、これは（この事は）それだけ、余分（余計）に流木、ガレキ等に衝突する割り合いが多く明きらかに球型（表面がツルリツルリしている）より不利であると見做されたのである（誰もがそのように思う事）。ところが（しかるに）良く観察して見ると、ピラミッド型の場合例えば流木が衝突（ぶつかる）するとクルクル回転して身を躱（かわ）す利点作用がある事が分かってきたのである。〔例えば水中で駒が回るように〕そして更に観察して見ると、例えば流木がピラミッドにぶつかると、そのピラミッドの持つ材質（主にゴムで出来ている）の持つ特性（弾力性、クッションが衝突の破壊力、緩和（かんわ）、減殺してピラミッドの中の生き物（人間）を保護する役割を持っている事が分かって来たのであったのである。つまり流木がピラミッドに衝突すると、その部分がグシャリとへしゃげる事を意味していたのである。そして更に良く観察して見ると、ぐしゃりとへしゃげりながら、クルクル回転する事が分かって来たのである。つまり水の中であるからして、ピラミッドに流木が衝突すると先ずこのピラミッドは後退（後ずさり）する事により、そのショックを軽減し、そして、衝突部分がぐしゃりとへしゃげる事によりその衝突の破壊力を消殺し、その上同時にクルクルと（ピラミッド）が回転する事により更にその破壊力を滅殺する作用がある事が分かって来たのである。つまりこの三点セットの作用力によりピラミッドの中の人間を強力に保護する役割がある事に気付いたのであった。
それではこのピラミッド型と球型ゴムマリ型とでは果たして一体どちらかが有利なのであろうか。）これは（この事は）実験によって確認するしか方法がなく、そこで実験する事になったのである。前述の球形のバレーボールの玉１００個をツナミの大波に向かって投げ込んだ時のように今度はピラミッド型をしたバレーボール物体を同じようにツナミの大波に向かって１００個程投げ込んで見たのである。
〔この場合大きさは同じ位で良い〕果たして幾つ程回収出来るであろうか。結果は球形のバレーボール玉と同じだけの数をこのピラミッドは回収出来たのである。すなわち勝負は互角、成績は同等、果たして勝敗の行方結末は如何に。総合優勝はどちらの手が上がるか。ツナミと云うのは何時、何処で何が飛び出して来るか分からない「不確定」要素が山程あるのである。優劣を決める「カギ」は何か。浮遊物がピラミッドにドスンとぶつかった時、ピラミッドはクルリと回転する事により衝突のショックを減少するのであるが、このクルクル回転する事は、中の人間に不利となる（不利な材料）のであろうか。併しこれも、戦闘機が錐（きり）もみ飛行をする時より楽で「直ちに健康に直接影響を与える」程ではなく、ピラミッドの中の人間は目が廻る事はほとんどない。ピラミッドは、物がぶつかった時、回転する事によりその衝撃を回避、〔この場合、球形バレーボールの玉をピラミッドの形に変形したもの〕球形ゴムマリはぶつかった時、ピョコンピョコンと飛び跳ねる事によりその破壊力を回避するのだが、ジャッジの採点表には次の事が追加されたのである。球形ゴムマリの場合ガレキに対して何となくコソコソと逃げ出す暗いイメージ、雰囲気がある。（持っている事）それに対して（比して）ピラミッド型の場合はガレキに対して真向う（真正面）から勝負を挑む（ガレキよ）来るなら来い！堂々と迎え撃つと云った、積極的に受けて立つ、その熱意と意欲姿勢が評価され攻勢点としてポイントにつながる可能性もあったのである。
ツナミの場合一体何が起こるか分からず、刻一刻変化する怪物を迎えて、相手が伊賀の手練（てだれ）者、忍びの者（忍者の事でこの場合ツナミを指す）ならば迎え撃つこちらは甲賀の忍者、お互い秘術を尽くしての激しい闘いとなって来るのである。本文は、ツナミがやって来たらその時はその時なるようにしかならないと云った投げ槍な人には向いてはいずにツナミがやって来ても（襲われても）命が欲しいと云った人向きに著わされたものである。
斯くて最終的に実験室でのジャッジの判定はドロー（引分け）ではなく、ピラミッド側の手が上げられたのである。併し乍ら優勝カップがピラミッド側に渡されたかどうかは今の所確認されてはいない。パンパカパーンパチパチパチメデタシメデタシと云った調子となって来るのである。
ここまで述べて来ると読者は頭がこんがらがり、分かった、分かった、もう何でも良いから早く結論を出してくれと云う事になったのでこのお話はこれでオシマイ。
最後に現在ではパソコンが普及しているので区別は付かないのではあるが、字のヘタクソな奴程、良い発明をすると云うのは真赤なウソで、実はその真意は今どき手書きで特許出願するのは珍しいの意味。
ツナミとは変幻自在、千変万化に変化するものであり、その事が人々（私達）の恐怖心を駆り立て煽り立てているのです。最新鋭の「科学兵器」球形ゴムマリ救命具を用いて対応対処しなければならない